(57)【要約】【課題】更新地図データをナビゲーションメーカ毎にフォーマット変換を行う必要がなく、また更新地図データの配信に専用の通信手段を設ける必要のない地図データ配信システム及び地図データ配信方法を提供すること。【解決手段】更新地図データを各ナビゲーションメーカで共通のフォーマットに変換して、テレビ放送、ラジオ放送又はデータ放送等の各種放送から配信し、それをナビゲーション１Ａ〜１Ｃが持つデータ受信機能で受信して自社フォーマットに変換した後に現在の地図データと合併する。これにより、更新地図データを配信する際にナビゲーションメーカ毎にフォーマット変換を行う必要がなく、また更新地図データの配信に放送を利用するので、更新地図データ配信にかかるコストを最小限に抑えることができる。【選択図】図５
2008224251.tif 000002
【特許請求の範囲】
【請求項１】
各ナビゲーションメーカのナビゲーションシステムで共通して処理可能なフォーマットの更新地図データを管理する管理手段及び前記管理手段で管理されている前記更新地図データを配信する配信手段を有する管理センタと、前記管理センタから配信された前記更新地図データを自社のフォーマットに変換するフォーマット変換手段及び前記フォーマット変換手段で変換した前記更新地図データを用いて現在の地図データを更新する更新手段を有する車載装置と、を具備することを特徴とする地図データ配信システム。
【請求項２】
前記管理センタは、前記更新地図データを放送で配信することを特徴とする請求項１記載の地図データ配信システム。
【請求項３】
管理センタにおいて、各ナビゲーションメーカのナビゲーションシステムで共通して処理可能なフォーマットの更新地図データを管理する工程と、前記工程で管理されている前記更新地図データを配信する工程と、車載装置において、前記管理センタから送られた前記更新地図データを自社のフォーマットに変換する工程と、前記工程で変換した前記更新地図データを用いて現在の地図データを更新する工程と、を具備することを特徴とする地図データ配信方法。
【請求項４】
前記更新地図データを配信する工程において、前記更新地図データを放送で配信することを特徴とする請求項３記載の地図データ配信方法。
【発明の詳細な説明】
【技術分野】
【０００１】
本発明は、ナビゲーションシステムの地図データを更新するための更新地図データを配信する地図データ配信システム及び地図データ配信方法に関する。
【背景技術】
【０００２】
従来、通信により更新地図データを取得して、地図データの更新を行うことができるナビゲーションシステムが開発されている。特許文献１には、地図データの更新情報を含む更新地図データを、特定の地図フォーマットに依存しないように、クラスやオブジェクトをタグにより管理する形式で格納して利用者に配布し、利用者は差分地図データ生成装置を用いて、自分の保有する地図データに応じた差分地図データを生成し、ナビゲーション装置で使用することが開示されている。また、特許文献１には、インターネット等のネットワーク上のサイトに登録された更新地図データを通信により取得することが開示されている。
【特許文献１】特開２００５−１６５６３９号公報
【発明の開示】
【発明が解決しようとする課題】
【０００３】
しかしながら、従来は、ナビゲーションメーカ独自のフォーマットで更新地図データを作成しているため、更新地図データを配信する際にナビゲーションメーカ毎にフォーマット変換を行わなければならない。この処理に時間がかかり、コストが高くつくという問題がある。なお、上述した特許文献１では、更新地図データを特定の地図フォーマットに依存しないようにクラスやオブジェクトをタグにより作成しているが、元地図のフォーマットが拡張された場合には新たなタグを追加する必要があることから、最初から共通フォーマットにするという意図は読み取れない。
【０００４】
また、更新地図データの取得を、インターネット等のネットワークを使用した通信によって行うようにしているため、該ネットワークにアクセスするための通信手段が必要となり、その分、コストが嵩むという問題もある。
【０００５】
ここで、図６に従来の更新処理の具体例を示す。この例では、２社のナビゲーションメーカのナビゲーションシステムＡ、Ｂで地図データの更新を行う場合である。まず元の更新地図データ”Ｘ”を２社のナビゲーションメーカ夫々に対応するようにフォーマット変換を行い、”ＸＡ”、”ＸＢ”を生成する。そして、生成した更新地図データ”ＸＡ”、”ＸＢ”を、ナビゲーションシステムＡ、Ｂ夫々からの要求に応じて配信する。ナビゲーションシステムＡは、受信した”ＸＡ”を現在の地図データ（元データ）と合併する。また、ナビゲーションシステムＢは、受信した”ＸＢ”を現在の地図データ（元データ）と合併する。
【０００６】
本発明はかかる点に鑑みてなされたものであり、更新地図データをナビゲーションメーカ毎にフォーマット変換を行う必要がなく、また更新地図データの配信に専用の通信手段を設ける必要のない地図データ配信システム及び地図データ配信方法を提供することを目的とする。
【課題を解決するための手段】
【０００７】
本発明の地図データ配信システムは、各ナビゲーションメーカのナビゲーションシステムで共通して処理可能なフォーマットの更新地図データを管理する管理手段及び前記管理手段で管理されている前記更新地図データを配信する配信手段を有する管理センタと、前記管理センタから配信された前記更新地図データを自社のフォーマットに変換するフォーマット変換手段及び前記フォーマット変換手段で変換した前記更新地図データを用いて現在の地図データを更新する更新手段を有する車載装置と、を具備することを特徴とする。
【０００８】
この構成によれば、更新地図データを各ナビゲーションメーカで共通のフォーマットで提供し、各ナビゲーションメーカのナビゲーションシステムが自社のフォーマットに変換して実装するので、更新地図データを配信する際にナビゲーションメーカ毎にフォーマット変換を行う必要がなく、その分、配信にかかる処理時間の短縮が図れ、コストを低く抑えることができる。
【０００９】
本発明の地図データ配信システムにおいては、前記管理センタは、前記更新地図データを放送で配信することが好ましい。
【００１０】
この構成によれば、テレビ放送、ラジオ放送又はデータ放送等の各種放送を利用して更新地図データの配信を行い、それをナビゲーションが持つデータ受信機能で受信するので、インターネット等のネットワークにアクセスするための専用の通信手段を設ける必要がなく、その分、コストの削減が格納となる。
【００１１】
本発明の地図データ配信方法は、管理センタにおいて、各ナビゲーションメーカのナビゲーションシステムで共通して処理可能なフォーマットの更新地図データを管理する工程と、前記工程で管理されている前記更新地図データを配信する工程と、車載装置において、前記管理センタから送られた前記更新地図データを自社のフォーマットに変換する工程と、前記工程で変換した前記更新地図データを用いて現在の地図データを更新する工程と、を具備することを特徴とする。
【００１２】
この方法によれば、更新地図データを各ナビゲーションメーカで共通のフォーマットで提供し、各ナビゲーションメーカのナビゲーションシステムが自社のフォーマットに変換して実装するので、更新地図データを配信する際にナビゲーションメーカ毎にフォーマット変換を行う必要がなく、その分、配信にかかる処理時間の短縮が図れ、コストを低く抑えることができる。
【００１３】
本発明の地図データ配信方法においては、前記更新地図データを配信する工程において、前記更新地図データを放送で配信することが好ましい。
【００１４】
この方法によれば、テレビ放送、ラジオ放送又はデータ放送等の各種放送を利用して更新地図データの配信を行い、それをナビゲーションが持つデータ受信機能で受信するので、インターネット等のネットワークにアクセスするための専用の通信手段を設ける必要がなく、その分、コストの削減が格納となる。
【発明の効果】
【００１５】
本発明によれば、更新地図データを各ナビゲーションメーカで共通のフォーマットに変換して、テレビ放送、ラジオ放送又はデータ放送等の各種放送から配信し、それをナビゲーションが持つデータ受信機能で受信して自社フォーマットに変換した後に現在の地図データと合併するので、更新地図データを配信する際にナビゲーションメーカ毎にフォーマット変換を行う必要がなく、また更新地図データの配信に放送を利用するので、更新地図データ配信にかかるコストを最小限に抑えることができる。
【発明を実施するための最良の形態】
【００１６】
以下、本発明の実施の形態について、添付図面を参照して詳細に説明する。
図１は、本発明の一実施の形態に係る地図データ配信システムの概略構成を示す図である。図１に示すシステムは、車両に搭載され、テレビ放送やラジオ放送を受信可能な受信機能を有するナビゲーションシステム（車載装置）１と、各ナビゲーションメーカで共通のフォーマットの更新地図データを管理する地図管理センタ２と、テレビ放送やラジオ放送を行う放送局３とを主に構成されている。なお、図１には３台のナビゲーションシステム１を示しているが、その台数に限定はない。また、各ナビゲーションシステム１を区別するためにメーカの違いを示すＡ〜Ｂのサフィックスを付けている。すなわち、ナビゲーションシステム１ＡはＡ社で製造され、ナビゲーションシステム１ＢはＢ社で製造され、ナビゲーションシステム１ＣはＣ社で製造されたものである。
【００１７】
放送局３は、通信網（移動通信網を含む）４を介して地図管理センタ２と接続され、地図管理センタ２から送られる更新地図データをテレビ放送及び／又はラジオ放送を利用して送信する。具体的には、文字多重放送やデジタル放送のテレビ放送、ラジオ放送で送信する。なお、単にデータのみを送信するデータ放送もあり、このデータ放送で送信することも可能である。この場合は、ナビゲーションシステム１にデータ放送を受信できる機能が必要である。
【００１８】
各ナビゲーションシステム１Ａ〜１Ｃは、地図管理センタ２から配信された更新地図データを自社のフォーマットに変換する機能を有している。すなわち、ナビゲーション１ＡはＡ社用の地図フォーマットに変換する機能を有し、ナビゲーション１ＢはＢ社用の地図フォーマットに変換する機能を有し、ナビゲーション１ＣはＣ社用の地図フォーマットに変換する機能を有する。各ナビゲーション１Ａ〜１Ｃは、地図管理センタ２から送られた更新地図データを自社フォーマットに変換した後、現在の地図データと合併する。
【００１９】
以上の処理を図に示すと図２のようになる。この例では、２社のナビゲーションメーカのナビゲーションシステム１Ａ、１Ｂで地図データの更新を行う場合である。まず、元の更新用の地図データ”Ｘ”を各ナビゲーションメーカで共通のフォーマットに変換し、”ＸＸ”を生成する。そして、生成した共通フォーマットの更新地図データ”ＸＸ”を放送局に送って、そこから各ナビゲーション１Ａ、１Ｂに向けて配信する。各ナビゲーション１Ａ、１Ｂは、放送局を介して配信された共通フォーマットの更新地図データを受信した後、自社フォーマットに変換して現在の地図データと合併する。
【００２０】
図３は、図１に示すナビゲーションシステム１の概略構成を示すブロック図である。なお、図３に示す構成は、本発明を説明するために簡略化したものであり、通常のカーナビゲーションシステムに搭載される構成要素は備えているものとする。
【００２１】
ナビゲーションシステム１は、装置全体を制御する制御部１１と、テレビ放送及びラジオ放送を受信する受信部１２と、テレビ放送及び／又はラジオ放送で更新地図データが送られてきた場合に、その更新地図データを自装置のフォーマットに変換するフォーマット変換部１３と、地図データを記憶する地図データ記憶部１４と、地図データ等を表示する表示部１５と、装置に搭載され、あるいはダウンロードされた種々のアプリケーションを起動するアプリ制御部１６とから主に構成されている。
【００２２】
アプリ制御部１６は、装置に搭載され、あるいはダウンロードされた地図データ配信アプリケーションを起動させる。このナビゲーションシステム１用の地図データ配信アプリケーションは、受信信号中に更新地図データがあればそれを抽出し、抽出した更新地図データをフォーマット変換部１３で自装置のフォーマットに変換し、変換後の更新地図データを地図データ記憶部１４に記憶されている現在の地図データと合併するアプリケーションである。
【００２３】
図４は、図１に示す地図管理センタ２の概略構成を示すブロック図である。地図管理センタ２は、装置全体を制御する制御部２１と、通信網４を介して放送局３との間で通信を行う通信制御部２２と、各ナビゲーションシステム１Ａ〜１Ｃで共通して処理可能なフォーマットの更新地図データを管理する管理部２３と、装置に搭載され、あるいはダウンロードされた種々のアプリケーションを起動するアプリ制御部２４とから主に構成されている。
【００２４】
通信制御部２２は、最新の更新地図データが生成された場合に、通信網４を介して放送局３に送信し、放送局３から各ナビゲーションシステム１Ａ〜１Ｃに配信する。アプリ制御部２４は、装置に搭載され、あるいはダウンロードされた地図データ配信アプリケーションを起動させる。この地図管理センタ２用の地図データ配信アプリケーションは、最新の更新地図データが生成された場合にそれを管理部２３にて管理し、配信時に各ナビゲーションメーカで共通のフォーマットに変換して放送局３に送信し、放送局３から各ナビゲーション１Ａ〜１Ｃに配信するアプリケーションである。
【００２５】
次に、本発明の実施の形態に係る地図データ配信方法について図５を用いて説明する。
まず、地図管理センタ２において、元の更新用の地図データを各ナビゲーションメーカで共通のフォーマットに変換する（ＳＴ１）。そして、生成した共通フォーマットの更新地図データを放送局３に送信する（ＳＴ２）。放送局３において、地図管理センタ２から送られた共通フォーマットの更新地図データをテレビ放送及び／又はラジオ放送で各ナビゲーション１Ａ〜１Ｃに向けて配信する（ＳＴ３）。各ナビゲーション１Ａ〜１Ｃにおいて、放送局３を介して配信された共通フォーマットの更新地図データを受信すると、自社フォーマットに変換し（ＳＴ４）、その後、現在の地図データと合併する（ＳＴ５）。
【００２６】
このように、本実施の形態に係る地図データ配信システムでは、更新地図データを各ナビゲーションメーカで共通のフォーマットに変換して、テレビ放送、ラジオ放送又はデータ放送等の各種放送から配信し、それをナビゲーション１Ａ〜１Ｃが持つデータ受信機能で受信して自社フォーマットに変換した後に現在の地図データと合併するので、更新地図データを配信する際にナビゲーションメーカ毎にフォーマット変換を行う必要がなく、また更新地図データの配信に放送を利用するので、更新地図データ配信にかかるコストを最小限に抑えることができる。
【００２７】
なお、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００２８】
本発明は、テレビ放送、ラジオ放送又はデータ放送等の各種放送を受信可能なナビゲーションシステムに適用可能である。
【図面の簡単な説明】
【００２９】
【図１】本発明の一実施の形態に係る地図データ配信システムの概略構成を示す図である。
【図２】図１に示すシステムにおける地図データ更新処理を説明するため図である。
【図３】図１に示すシステムにおけるナビゲーションシステムの概略構成を示すブロック図である。
【図４】図１に示すシステムにおける地図管理センタの概略構成を示すブロック図である。
【図５】本発明の実施の形態に係る地図データ配信方法を説明するためのシーケンス図である。
【図６】従来の地図データ更新処理を説明するため図である。
【符号の説明】
【００３０】
１Ａ〜１Ｃ  ナビゲーションシステム
２  地図管理センタ
３  放送局
４  通信網
１１，２１  制御部
１２  受信部
１３  フォーマット変換部
１４  地図データ記憶部
１５  表示部
１６，２４  アプリ制御部
２２  通信制御部
２３  管理部
【図１】
2008224251.tif 000003
【図２】
2008224251.tif 000004
【図３】
2008224251.tif 000005
【図４】
2008224251.tif 000006
【図５】
2008224251.tif 000007
【図６】
2008224251.tif 000008